(57)【特許請求の範囲】
【請求項１】
長尺な竿と、この竿の長手方向の一端部に設けられた切断具と、前記竿の長手方向の他端部に設けられ前記切断具を遠隔操作するための操作部と、この操作部と前記切断具とを連結して前記操作部の操作を前記切断具に伝達する伝達部材とを備えた高枝切りであって、
薬剤噴射用の噴射装置を前記一端部に設け、
この噴射装置は、薬剤の収納容器を前記竿に支持するための支持部と、前記伝達部材を介して前記操作部で遠隔操作される押圧レバーと、前記収納容器に着脱自在で取り付けられ前記押圧レバーによる押圧で前記薬剤を噴射する噴射ボタンとを備え、
前記支持部は、前記噴射ボタンから前記薬剤を噴射する噴射方向の角度を、前記竿の長手方向に対して調整自在であり、
前記噴射ボタンは、前記押圧レバーに押圧される押圧面と、前記薬剤を噴射する噴射孔とを有すると共に、この押圧面が前記噴射方向の先端側に向かう程前記噴射孔に近づくように傾斜していることを特徴とする高枝切り。
【請求項２】
前記押圧面は、前記噴射方向に対する幅方向の中央側を凹ませた形状であることを特徴とする請求項１に記載の高枝切り。
【請求項３】
前記噴射ボタンは、前記押圧面を前記収納容器に対して保持するカバー部を備え、
このカバー部は、前記押圧面を前記噴射方向及びこの噴射方向に対する幅方向において位置決めする位置決め部と、前記収納容器に着脱自在で嵌り合う嵌合部とを有するものであることを特徴とする請求項１又は請求項２に記載の高枝切り。
【発明の詳細な説明】
【技術分野】
【０００１】
本発明は、高枝切りに関するものである。
【背景技術】
【０００２】
従来から、伸縮杆の伸縮方向の一端に鋏等の切断具を有し、伸縮方向の他端にこの切断具の可動刃を開閉させる操作ハンドル部を有した高枝切りがある。このような高枝切りでは、市販のスプレー缶を取付可能なスプレー缶ホルダを、伸縮杆に固定して設けると共に、可動刃の動作に連動して作動する押圧レバーを、可動刃に固定して設けたものがある（特許文献１等参照）。この高枝切りでは、切断具による高所の枝の剪定に加えて、押圧レバーを作動させてスプレー缶の噴射ボタンを押圧することで、スプレー缶の薬剤を高所へ散布することができる。これによって、利用者は、切断具による切断動作と薬剤の散布動作とを同じ高枝切りで行うことができ、作業場所へ持ち込む道具を減らして作業負担を軽減することができる。また、例えば、病気の枝を切断具で切断する場合には、切断に用いた高枝切りで切断位置やその周囲に消毒や殺菌用等の薬剤を噴射することで、切断のみを行う場合に比べて、枝の切断量を低減する等で植物への負担を軽減することができる。
【先行技術文献】
【特許文献】
【０００３】
【特許文献１】特開２００３−７０４０６号公報
【発明の概要】
【発明が解決しようとする課題】
【０００４】
ところで、伸縮杆にスプレー缶ホルダを固定してあるため、伸縮方向に略直交した向き（伸縮杆の軸心を中心とした場合の径外方向）にしか、薬剤を散布することができない。そのため、高枝切りは、例えば枝や軒先等の高所に形成された蜂の巣や、高所の病気に侵された葉や枝、或いは害虫の付着した葉や枝等の散布対象部位に対して、スプレー缶の噴射孔を略水平に位置させて、薬剤を散布する。そして、高枝切りは、このような散布時に、切断具がスプレー缶より上方に突出して位置するため、切断具が周囲の果実や屋根等に干渉し易く、噴射孔を噴射対象に向け難くなったり、果実や屋根等を傷付けてしまったりする恐れがある。
【０００５】
そこで、本願発明者は、薬剤を収納した収納容器を竿に支持する支持部に、角度調整部を設けて、噴射孔からの噴射方向の竿の長手方向に対する角度を調整可能にした高枝切りに想到した。この高枝切りでは、押圧レバーと噴射ボタンとの相対位置が前記角度によって変動する。そのため、この高枝切りでは、押圧レバーで噴射ボタンを押圧し難くなる等の前記角度による影響で、噴射量（押圧力）が低下したり、噴射動作（押圧動作）が困難になったり等の問題を新たに生じることが判明した。
【０００６】
そこで、本発明は、薬剤散布用の補助装置を備えた高枝切りにおいて、前記従来の課題である切断具の噴射対象やその周囲との干渉の問題を解決すると共に、新たな課題である噴射方向の竿の長手方向に対する角度の影響を軽減することにある。
【課題を解決するための手段】
【０００７】
前記課題を解決するために、本発明は、長尺な竿と、この竿の長手方向の一端部に設けられた切断具と、前記竿の長手方向の他端部に設けられ前記切断具を遠隔操作するための操作部と、この操作部と前記切断具とを連結して前記操作部の操作を前記切断具に伝達する伝達部材とを備えた高枝切りであって、薬剤噴射用の噴射装置を前記一端部に設け、この噴射装置は、薬剤の収納容器を前記竿に支持するための支持部と、前記伝達部材を介して前記操作部で遠隔操作される押圧レバーと、前記収納容器に着脱自在で取り付けられ前記押圧レバーによる押圧で前記薬剤を噴射する噴射ボタンとを備え、前記支持部は、前記噴射ボタンから前記薬剤を噴射する噴射方向の角度を、前記竿の長手方向に対して調整自在であり、前記噴射ボタンは、前記押圧レバーに押圧される押圧面と、前記薬剤を噴射する噴射孔とを有すると共に、この押圧面が前記噴射方向の先端側に向かう程前記噴射孔に近づくように傾斜していることを特徴とする。
【０００８】
このような構成としたことで、高枝切りは、前記長手方向に対する噴射方向の角度を調整して、高所への薬剤散布時に、噴射対象やその周囲への前記切断具の干渉を軽減し易くすることができる。そして、高枝切りは、前記押圧面を傾斜させたことで、角度調整した状態で前記押圧レバーによって押圧された際に、前記噴射ボタンを作動方向（噴射動作を行う方向）に移動し易くすることができる。
【０００９】
この高枝切りとして、前記押圧面は、前記噴射方向に対する幅方向の中央側を凹ませた形状であることが好ましい。この構成によって、高枝切りは、前記押圧レバーで前記押圧面の幅の中央側を押圧し易くすることができる。
【００１０】
この高枝切りとして、前記噴射ボタンは、前記押圧面を前記収納容器に対して保持するカバー部を備え、このカバー部は、前記押圧面を前記噴射方向及びこの噴射方向に対する幅方向において位置決めする位置決め部と、前記収納容器に着脱自在で嵌り合う嵌合部とを有するものであることが好ましい。この構成によって、高枝切りは、前記カバー部を前記収納容器に取り付けることで、前記収納容器に対して前記押圧面を容易に位置決めすることができる。
【発明の効果】
【００１１】
本発明は、前記構成を備えたことで、噴射対象やその周囲への切断具の干渉を軽減し、且つ噴射方向の竿の長手方向に対する角度の影響を軽減して、高所へ薬剤を散布可能な高枝切りを提供することができるという効果を奏する。
【図面の簡単な説明】
【００１２】
【図１】実施形態の高枝切りの一部を省略した正面図である。
【図２】切断具の閉成状態の正面図である。
【図３】収納容器を取り付けた状態の押圧レバー周辺の斜視図である。
【図４】（ａ）が噴射ボタンの側面図であり、（ｂ）がカバー部の側断面図であり、（ｃ）が収納容器に取り付けた状態で一部を切断した側面図である。
【図５】本体部の説明図であり、（ａ）が平面図であり、（ｂ）が側面図である。
【図６】捕獲筒の一部を破断した状態の斜視図である。
【発明を実施するための形態】
【００１３】
本発明を、添付図面に示す実施形態に基づいて説明する。
本実施形態の高枝切り１は、図１に示すように、長尺な竿２と、可動刃５を有した切断具３と、可動刃５を遠隔操作するための操作部（不図示）と、この操作部の操作を可動刃５に伝達する伝達部材６と、薬剤散布用の噴射装置９とを備える。
【００１４】
竿２は、内部に空間を有した棒状になっている。そして、竿２は長手方向Ｌ１に伸縮自在な所謂伸縮竿になっている。また、竿２は、長手方向Ｌ１の一端部２ａに、切断具３が設けてあり、長手方向Ｌ１の反対側である他端部（不図示）に、操作部が設けてある。そして、竿２は内部に伝達部材６が配置してある。以下説明の便宜上、他の部材の長手方向と区別するために、竿２の長手方向Ｌ１を、伸縮方向Ｌ１と記載する。
【００１５】
切断具３は、例えば、一方を可動刃５とした鋏形状になっており、竿２に固定された固定刃４と、固定刃４に対して回動する可動刃５とを備える。そして、切断具３は、固定刃４と可動刃５との間で剪断することで、高所の枝（高枝）等を切断することができる。
【００１６】
伝達部材６は、伸縮方向Ｌ１に沿って長尺に形成してあり、竿２の伸縮に対応して伸縮する。伝達部材６は長手方向の両端が夫々竿２から突出する。そして、伝達部材６の長手方向の一端は、可動刃５に連結してあり、伝達部材６の長手方向の他端は、操作部に連結してある。これによって、伝達部材６は、操作部の操作を可動刃５に伝達する。言い換えると、伝達部材６は、操作部と可動刃５とを連結して、切断具３の操作部による遠隔操作を可能にしている。
【００１７】
更に、伝達部材６の長手方向の前記一端側は、平板状の板状部７になっている。板状部７は、操作部が操作されることで、伸縮方向Ｌ１に沿って進退する。そして、板状部７は板面に可動刃５が接続してあり、板状部７は前記進退動作に伴って可動刃５を作動させる（回動させる）。具体的には、板状部７が竿２側に前進することで、可動刃５が固定刃４から離れる向きに回動し、この状態から板状部７が後退することで、可動刃５が固定刃４に近づく向きに回動する。言い換えると、切断具３は、図１に示すように、板状部７の前進によって鋏が開成状態になるように作動し、図２に示すように、板状部７の後退によって鋏が閉成状態になるように作動する。
【００１８】
噴射装置９は、竿２の一端部２ａ側に設けてある。そして、噴射装置９は、図３に示すように、薬剤を収納した収納容器５０が取付自在になっている。噴射装置９は、収納容器５０を保持した（取り付けた）状態で、操作部の操作に応じて収納容器５０内の薬剤を噴射する。
【００１９】
収納容器５０は、図４（ｃ）に示すように、例えば、薬剤が内部に充填された円筒缶５１と、円筒缶５１の軸方向の一端に設けられたステム５２（薬剤吐出管）と、ステム５２を介して開閉するガスケット（不図示）とを備える。ステム５２は、円筒缶５１の軸方向に沿って円筒缶５１から突出しており、この軸方向に沿って進退自在になっている。前記ガスケットは円筒缶５１内部に設けられる。そして、このガスケットは、ステム５２が円筒缶５１側に押し込まれる（後退する）ことで、開成状態となって、円筒缶５１内の薬剤をステム５２に供給する。これによって、噴射装置９は、薬剤を収納容器５０からステム５２を介して噴射ボタン２０（詳細は後述する）に導入して、噴射ボタン２０から外部に噴射する。
【００２０】
そして、収納容器５０は、噴射装置９の用途に応じて夫々異なる薬剤を収納したものが用いられる。例えば、収納容器５０は、蜘蛛等の害虫駆除用、蝙蝠等の害獣駆除用、蜂や樹木に付着したダニ等の殺虫用、葉や果実等の消毒用や防虫用、或いは樹木の切断面や天井や高所の壁面等の塗装用等の所謂スプレー缶になっている。そして、収納容器５０に収納される薬剤は、例えば、殺虫剤、防虫剤、殺菌剤、消毒薬、忌避剤、ペンキ等の塗料、樹木の切断面用の保護剤、断熱や防音用の発泡剤等になっている。
【００２１】
また、噴射装置９は、図１や図３に示すように、収納容器５０を竿２に支持するための支持部１０と、薬剤噴射用の噴射ボタン２０と、操作部の操作により噴射ボタン２０を押圧する押圧レバー１３とを備える。支持部１０は、収納容器５０保持用のホルダ１１と、ホルダ１１を竿２に取り付けるための取付部１５とを備える。
【００２２】
ホルダ１１は、略円筒形状の円筒部１２と、有底カップ形状の下部１８とで形成してある。円筒部１２は、図３に示すように、内部（内周側）に、略同心で収納容器５０が挿通配置される。そして、円筒部１２は軸方向Ｖ１の一端部１２ａが切断具３側に位置しており、一端部１２ａ側に、図３に示すように、噴射ボタン２０を取り付けた状態で収納容器５０のステム５２（吐出筒）が位置する。また、円筒部１２は軸方向Ｖ１の反対側の端部（他端部１２ｂ）に着脱自在で下部１８が取り付けられる。これによって、円筒部１２は他端部１２ｂ側が閉塞される。
【００２３】
下部１８はカップの底がホルダ１１の底部になっている。そして、下部１８の底（底部）は、収納容器５０を円筒部１２内に配置した際に、収納容器５０の底（円筒缶５１の軸方向の他端）が載置される。これによって、収納容器５０は、軸方向Ｖ１において円筒部１２に位置決めされると共に、円筒部１２からの抜け落ちが抑制される。言い換えると、ホルダ１１は、収納容器５０を円筒部１２の内周面及び下部１８（底部）で保持する。これによって、ホルダ１１は内部に収納容器５０が取り付けられる。
【００２４】
また、円筒部１２は他端部１２ｂの内周面が径外方向に凹んでいる。そして、この凹んだ内周面には、ねじ山１９ａが設けてある。また、下部１８はカップの外周面に、ねじ山１９ｂが設けてある。ホルダ１１は、円筒部１２のねじ山１９ａと下部１８のねじ山１９ｂとが螺合可能になっている。そして、下部１８には、ねじ山１９ａ，１９ｂの螺合用の操作片１８ａが設けてあり、操作片１８ａを介して下部１８を円筒部１２の円周方向に回転させることで、ねじ山１９ａ，１９ｂの螺合量を調整することができる。すなわち、ホルダ１１は、下部１８の円筒部１２に対する軸方向Ｖ１の螺進位置（ねじ山１９ａ，１９ｂの螺合量）を変更することで、軸方向Ｖ１において、円筒部１２に対する下部１８の取付位置を調整することができる。言い換えると、ホルダ１１は、操作片１８ａによって、軸方向Ｖ１において底部の位置を調整することができる。
【００２５】
そのため、ホルダ１１は、取り付ける収納容器５０の底からステム５２までの高さ寸法（軸方向Ｖ１に沿う寸法）に応じて、底部（下部１８）の位置を調整することで、軸方向Ｖ１におけるホルダ１１（円筒部１２の一端部１２ａ）に対するステム５２の高さ位置を略一定にすることができる。なお、円筒部１２に対する下部１８の取付け構造は、ねじ山１９ａ，１９ｂを用いた螺合構造に限らない。
【００２６】
押圧レバー１３は、図１や図２に示すように、例えば板状になっている。そして、押圧レバー１３は、板の一端が板状部７に脱着自在に取り付けてあり、板状部７の進退時に板状部７と一体で伸縮方向Ｌ１に進退する。また、押圧レバー１３は他端側にホルダ１１に向けて突出した凸部１４が設けてある。凸部１４は突出先端に丸みを有する。そして、凸部１４は、押圧レバー１３の後退時に、噴射ボタン２０（詳細は後述する）を押圧する。
【００２７】
取付部１５は、板状の基台１６を有する。基台１６は伸縮方向Ｌ１に長尺になっている。そして、基台１６は、板面を竿２の外周面に当接した状態で、保持具１７によって着脱自在で竿２に取り付けられる。保持具１７は、例えば、締付ベルトや、粘着テープや、面ファスナー等で形成してある。なお、保持具１７は、例えばＵ字ボルト及びナット等で形成したものであってもよい。また、取付部１５は、保持具１７を用いた取付構造に限らず、磁石等での磁気的な保持を用いた取付構造や、フック等の係止部や係合部を用いた取付構造や、凹凸等の嵌合部３２を用いた取付構造等であってもよい。
【００２８】
噴射ボタン２０は、図４に示すように、押圧レバー１３に押圧される本体部２１と、本体部２１を作動自在で収納容器５０に保持するカバー部３１と、本体部２１の作動を規制するストッパー（不図示）とを備える。本体部２１は、図４や図５に示すように、薬剤噴射用の噴射孔２９を有した噴射ノズル２６と、押圧レバー１３に押圧操作される押圧面２０ａを有した押圧部材２２とで形成してある。
【００２９】
噴射ノズル２６は、ステム５２に連通接続される連通部２７と、ステム５２の突出方向に略直交した向きで連通部２７から突出するノズル部２８とを有する。噴射ノズル２６は、連通部２７の上流端側をステム５２に連通接続される。そして、噴射ノズル２６は、連通部２７にステム５２を連通接続した状態で、前記ガスケットを開成させることで、収納容器５０から薬剤が導入される。また、連通部２７の下流端には、ノズル部２８の上流端が連通して設けてある。
【００３０】
ノズル部２８は連通部２７からの突出先端（下流端）が噴射孔２９になっている。そして、ノズル部２８は、この突出方向先端側に向けて薬剤を、霧状或いは泡状に噴射する。そして、この薬剤を噴射する方向が、噴射ボタン２０の噴射方向Ｆ１となっている。更に、噴射された薬剤は、例えば、噴射孔２９を頂点として噴射方向Ｆ１を軸心とした略円錐形状に飛散して散布される。
【００３１】
噴射ノズル２６は、図３に示すように、収納容器５０をホルダ１１に取り付けた状態で、ホルダ１１の軸心及び取付部１５との接続部位を通るホルダ１１の所定の直径上に位置する。言い換えると、噴射孔２９は、ホルダ１１の取付部１５との接続部位に背向して位置する。以下、噴射方向Ｆ１を前方として、反対側を後方とする。そして、軸方向Ｖ１に略平行となるステム５２の突出方向（円筒缶５１の軸方向）を上下方向として、連通部２７のステム５２との接続部位側を下方、反対側（噴射ノズル２６との接続部位側）を上方とし、上下方向に沿って下向きに視た状態を平面視とする。更に、前後方向及び上下方向の両方に直交する方向を幅方向Ｆ２（側方）とする。
【００３２】
押圧部材２２は、図５に示すように、前後方向（噴射方向Ｆ１に沿った方向）に長尺で、平面視矩形状になっている。押圧部材２２の下端には、幅方向Ｆ２に突出して突出片２４が設けてある。突出片２４は、前後方向に長尺に形成してある。そして、押圧部材２２の下部には、下方及び前方に開口した凹部２３が設けてある。凹部２３には噴射ノズル２６が配置してあり、連通部２７の上面が凹部２３の天面に接着等で固定してある。そして、凹部２３の前開口にはノズル部２８の下流端（噴射孔２９）が位置する。
【００３３】
また、押圧部材２２は、下方（ステム５２側）に向けて押圧操作される（移動させられる）ことで、噴射ノズル２６及びステム５２を介して収納容器５０（前記ガスケット）を開成させて、噴射孔２９から薬剤を噴射する。言い換えると、押圧部材２２は、上面２２ａが押圧されることで、噴射ノズル２６（噴射ボタン２０）を作動させる。
【００３４】
押圧部材２２の上面２２ａは、側面視幅方向Ｆ２の中央側に向けて凹の曲面形状になっている。言い換えると、押圧部材２２の上面２２ａは、幅方向Ｆ２において中央側を下方側（噴射ノズル２６側）に凹ませた形状になっている。そして、押圧部材２２の上面２２ａは、前後方向の略中央を含む前方側が、押圧レバー１３用の押圧面２０ａになっており、押圧面２０ａより後方側が、使用者の指用の操作面２０ｂになっている。押圧面２０ａは、噴射方向Ｆ１先端側に向かう程、噴射孔２９に近づくように傾斜している。言い換えると、押圧面２０ａは、前方に向けて下り傾斜した形状になっている。また、指用の操作面２０ｂは、前方に向けて上り傾斜した形状になっている。
【００３５】
カバー部３１は、図４に示すように、収納容器５０のステム５２側の端部（円筒缶５１の軸方向の一端）に嵌合する嵌合部３２と、本体部２１を位置決めする位置決め部３３とを備える。嵌合部３２は、平面視略円環状になっている。そして、嵌合部３２は、円環の内周に円筒缶５１の前記一端を嵌め込むことで、カバー部３１を収納容器５０に対して位置決め保持する。これによって、収納容器５０は、嵌合部３２の円環の略中心に、ステム５２が位置する。更に、嵌合部３２は、収納容器５０に対して着脱自在になっている。
【００３６】
位置決め部３３は、嵌合部３２に一体で且つ嵌合部３２の上方に設けてある。そして、位置決め部３３は、前後方向に長尺な溝部３４を幅方向Ｆ２に対向して有する。溝部３４には突出片２４が配置される。これによって、本体部２１は、カバー部３１に対して上下方向に抜け止めされる。
【００３７】
更に、溝部３４の上縁には本体部２１の側面２１ａが当接される。溝部３４の後端３４ａには突出片２４の後端が当接される。これによって、本体部２１は、カバー部３１に対して幅方向Ｆ２及び噴射方向Ｆ１（前後方向）に位置決め保持される。具体的には、嵌合部３２の円環の略中心に、連通部２７の上流端が位置する。そして、溝部３４は上下方向の寸法が突出片２４に比べて大寸になっている。これによって、本体部２１は、突出片２４が溝部３４にガイドされながら、カバー部３１に対して上下方向にスライド移動を行うことができる。
【００３８】
このように、カバー部３１は、本体部２１を、噴射方向Ｆ１（前後方向）及び幅方向Ｆ２の両方において位置決めして、噴射動作させる作動方向に移動自在で収納容器５０に保持する。そして、本体部２１は、この位置決めによって、上下方向において連通部２７の上流端がステム５２と略重なって位置する。言い換えると、噴射ボタン２０は、カバー部３１によって、収納容器５０に対する本体部２１のセンター出しを行うことができる。
【００３９】
ストッパーは、突出片２４が溝部３４の上方に位置した状態で、カバー部３１の後方側から、押圧部材２２の下端両側の直下に挿通されて、カバー部３１に取り付けられる。そして、ストッパーは、この取り付けた状態で、上下方向において押圧部材２２と嵌合部３２との間に介在して位置する。これによって、ストッパーは、カバー部３１に対する本体部２１の上下方向のスライド移動（作動）を規制する。言い換えると、噴射装置９は、ストッパーをカバー部３１に取り付けることで、噴射動作を禁止することができる。そのため、高枝切り１は、収納容器５０に噴射ボタン２０を取り付けた状態での商品の出荷時や運搬移動時等に、予期しない噴射動作をストッパーによって抑制することができる。なお、噴射ボタン２０は、収納容器５０の使用時等に、ストッパーをカバー部３１から取り外すことで、前記スライド移動の規制が解除されて、噴射動作が可能となる。
【００４０】
また、取付部１５とホルダ１１の間には、図１に示すように、角度調整部３６が設けてある。高枝切り１は、角度調整部３６によって、伸縮方向Ｌ１に対する噴射方向Ｆ１の角度を変更自在になっている。角度調整部３６は、例えば、ホルダ１１を竿２に対して回動させる回動部３７と、回動部３７で回動した姿勢にホルダ１１を保持する保持部３８とを備える。
【００４１】
回動部３７は、図１乃至図３に示すように、例えば、ヒンジで形成してある。回動部３７は、基台１６と円筒部１２の一端部１２ａとの間に設けてある。そのため、回動部３７は基台１６に対してホルダ１１を回動自在で支持している。これによって、ホルダ１１の基台１６に対する姿勢は、軸方向Ｖ１が伸縮方向Ｌ１に対して略平行に並ぶ姿勢から、他端部１２ｂ側を竿２から離れる向きに回動させて、軸方向Ｖ１が伸縮方向Ｌ１に対して交差する姿勢に切り替えることができる。そして、ホルダ１１に取り付けた収納容器５０は、前記略平行に並ぶ姿勢の際に、噴射方向Ｆ１が伸縮方向Ｌ１に対して略直交した向きとなり、前記交差する姿勢の際に、噴射方向Ｆ１が伸縮方向Ｌ１側に傾いた向きとなる。このように、噴射装置９は、回動部３７によってホルダ１１の姿勢を変更することで、噴射方向Ｆ１の伸縮方向Ｌ１に対する角度を変更することができる。
【００４２】
なお、回動部３７は、ヒンジに限らない。例えば、ホルダ１１と基台１６とを一体成形した場合であれば、一体成型に伴い形成される円筒部１２の一端部１２ａと基台１６との間を接続する部位を弾性変形自在に設けて、この部位を回動部３７に用いてもよい。すなわち、高枝切り１は、前記部位（回動部３７）を弾性変形させることで、ホルダ１１を基台１６に対して回動自在としたものであってもよい。
【００４３】
保持部３８は、回動部３７を介したホルダ１１の回動範囲（前記略平行に並ぶ姿勢を含む）内において、所望の姿勢（噴射方向Ｆ１の前記角度）にホルダ１１を保持する。保持部３８は、例えば基台１６に一端が接続された第１アーム３８ａと、ホルダ１１に一端が接続された第２アーム３８ｂとを備える。第１アーム３８ａと第２アーム３８ｂとは互いの他端が回動自在に接続してある。そして、保持部３８は、例えば前記他端の接続にボルトナットを用いる等で、回動可能な状態から回動不能な状態に切替可能になっている。
【００４４】
すなわち、保持部３８は、第１アーム３８ａと第２アーム３８ｂとのなす角度θ１（回動角度）を所望の角度に保持することができる。そして、角度調整部３６は、保持部３８を回動不能状態にすることで、回動部３７の回動動作を規制する。言い換えると、保持部３８は、回動部３７で変更した姿勢にホルダ１１を保持する。
【００４５】
これによって、噴射装置９は、、回動部３７で変更した前記角度（姿勢）の噴射方向Ｆ１で、薬剤を噴射することができる。言い換えると、回動部３７は、例えば、ホルダ１１の基台１６（伸縮方向Ｌ１）に対する姿勢を変更する姿勢変更部になっており、保持部３８は、例えば、姿勢変更部で変更した姿勢にホルダ１１を保持する姿勢保持部になっている。なお、角度調整部３６は、回動部３７と保持部３８とを夫々備えたものに限らず、例えば、回動部３７と保持部３８とを一体で備えたものであってもよい。
【００４６】
また、ホルダ１１は、円筒部１２の噴射方向Ｆ１を向く径外方向上の部位の一端部１２ａ側に、径方向に貫通して軸方向Ｖ１に凹んだ凹所１２ｃを設けてある。そして、凹所１２ｃは噴射ボタン２０からの薬剤を噴射可能な開口になっている。そのため、噴射装置９は、噴射ボタン２０を一端部１２ａより軸方向Ｖ１に突出した位置に配置した場合に加えて、凹所１２ｃを介して円筒部１２の径外方向に露出した位置に配置した場合にも、薬剤を噴射することができる。言い換えると、ホルダ１１は、軸方向Ｖ１において噴射ボタン２０を円筒部１２から突出した位置から凹所１２ｃを介して露出する位置となる範囲において、ホルダ１１の底部（下部１８）の位置を調整することができる。
【００４７】
このように、高枝切り１は、噴射方向Ｆ１の角度を調整自在とした噴射装置９を、竿２の一端部２ａに取り付けたことで、噴射方向Ｆ１の角度を変更して、収納容器５０の薬剤を噴射することができる。これによって、高枝切り１は、噴射対象やその周囲への切断具３の干渉を軽減して、高所へ薬剤を散布することができる。そして、高枝切り１は、ホルダ１１と取付部１５の間に角度調整部３６を設けたことで、角度調整部３６による角度変更が伝達部材６による操作の伝達を阻害し難くすることができる。そのため、高枝切り１は、竿２の内部等の構成を簡素にしたり、例えば従来の高枝切り等を竿２等に用いたりして、生産費用を安価に抑え易くすることできる。更に、高枝切り１は、押圧レバー１３を脱着自在に設けたことで、切断具３を利用する際等に、押圧レバー１３を取り外して、切断具３での切断対象に押圧レバー１３を干渉し難くすることができる。
【００４８】
ところで、噴射ボタン２０は、噴射方向Ｆ１が伸縮方向Ｌ１側に傾く程、押圧面２０ａ上の押圧レバー１３に接する位置（押圧される位置）が前方側に変化する。この場合において、高枝切り１は、押圧面２０ａを噴射方向Ｆ１先端側程下向きに傾斜させたことで、例えば噴射ボタン２０に下向きの力成分を生じ易くすることができる。これによって、高枝切り１は、押圧レバー１３による押圧で噴射ボタン２０を下方（作動方向）に移動し易くすることができて、噴射方向Ｆ１の伸縮方向Ｌ１に対する角度の影響を軽減して、噴射ボタン２０を作動し易くすることができる。
【００４９】
更に、高枝切り１は、ホルダ１１の底部の位置を調整可能としたことで、収納容器５０の高さ寸法（軸方向Ｖ１に沿う寸法）や噴射方向Ｆ１の前記角度に合わせて、押圧レバー１３に対する押圧面２０ａの位置を調整することができる。これによって、高枝切り１は、押圧レバー１３で噴射ボタン２０を安定して押圧し易くすることができる。そして、高枝切り１は、ホルダ１１に凹所１２ｃを設けたことで、押圧レバー１３の進退動作する範囲を確保して、前記位置を調整することができる。言い換えると、高枝切り１は、前記位置を調整する際に、円筒部１２の一端部１２ａ側の縁に噴射ボタン２０を干渉し難くすることができて、前記位置の調整を行い易くすることができる。
【００５０】
そして、高枝切り１は、押圧部材２２の上面２２ａを側面視幅方向Ｆ２の中央側に向けて凹の曲面形状としたことで、押圧レバー１３の凸部１４が押圧面２０ａの幅方向Ｆ２の中央側を押圧し易くすることができる。これによって、高枝切り１は、噴射ボタン２０を作動させる方向に押圧レバー１３からの押圧力が加わり易くなり、薬剤の噴射を安定して行い易くすることができる。
【００５１】
更に、高枝切り１は、指用の操作面２０ｂを設けたことで、噴射ボタン２０の交換等の作業を行わなくても、ホルダ１１からの着脱で、収納容器５０を、高枝切り１での使用状態と直接把持しての使用状態とに切り替えることができる。そして、高枝切り１は、指用の操作面２０ｂを噴射方向Ｆ１先端程上り傾斜としたことで、ホルダ１１から取り外した状態の収納容器５０において、噴射ボタン２０に指を当接し易くすることができる。更に、高枝切り１は、カバー部３１で噴射ボタン２０を収納容器５０に対して前後方向及び幅方向Ｆ２に位置決めしたことで、噴射ボタン２０の収納容器５０への取付時に、連通部２７とステム５２とを略同心に位置し易くすることができる。言い換えると、高枝切り１は、カバー部３１によって噴射ボタン２０の収納容器５０に対するセンター出しを容易に行うことができる。これによって、高枝切り１は、噴射ボタン２０の収納容器５０への取付作業を行い易くすることができる。
【００５２】
また、高枝切り１は、捕獲筒４０を着脱自在に備えることが好ましい。捕獲筒４０は、図６に示すように、中空の円錐形状になっている。捕獲筒４０の周面の一部には、軸方向の寸法の全体に亘って切込み４３が設けてあり、切込み４３は径方向に内外を貫通する。そして、捕獲筒４０は、切込み４３で円錐の円周方向に開くように変形可能になっている。捕獲筒４０の外周面には、切込み４３の円周方向に対向する縁部を互いに当接した状態に保持する保持部４４が設けてある。そのため、捕獲筒４０は、前記開くように変形させた状態で、内周側に竿２を配置することで、略同心で竿２に取り付けることができる。更に、捕獲筒４０は、小径側の端部４０ａが竿２の外径と略同寸になっている。小径側の端部４０ａは縁の略全周が、竿２に取り付けた際に竿２の外周面に当接される。そして、捕獲筒４０は、大径側の端部４０ｂを切断具３側に向けた姿勢で、竿２に取り付けられる。
【００５３】
大径側の端部４０ｂは、円錐の軸方向（伸縮方向Ｌ１）に貫通して開口した捕獲口４１を有する。捕獲口４１は、略同心の円形状で形成してある。そして、捕獲口４１は、竿２より大径で開口してある。そのため、捕獲筒４０は捕獲口４１を介して内部（円錐内）に虫等が侵入可能になっている。更に、大径側の端部４０ｂは、捕獲口４１に向かって小径側の端部４０ａ近づく傾斜形状（所謂すり鉢状）になっている。言い換えると、大径側の端部４０ｂは捕獲口４１の縁が、返し部材４２として機能する。
【００５４】
このように、高枝切り１は、捕獲筒４０を設けたことで、蜂の巣の除去時等に竿２を伝って来た蜂を捕獲して、使用者の安全を確保し易くすることができる。
【００５５】
なお、本発明は、前述の実施形態の構成のみに限定されるものではなく、本発明の意図する範囲内であれば、適宜の設計変更を行うことが可能である。例えば、噴射装置９は、押圧部材２２と噴射ノズル２６とを一体で形成したものや、収納容器５０に既設の噴射ボタン２０を噴射ノズル２６として押圧部材２２の凹部２３に配置して利用するもの等であってもよい。また例えば、高枝切り１は、伸縮自在な竿２（伸縮竿）に限らず、伸縮しない竿２であってもよい。また例えば、切断具３は、鋸状の固定刃４と、固定刃４で切断した枝等を保持する保持爪とを備え、この保持爪が伝達部材６によって作動する（可動する）ものであってもよい。また例えば、切断具３とは別の切断具を脱着自在に取り付ける他の取付部を更に一端部２ａに備えた高枝切り１であれば、この他の取付部を介して噴射装置９を脱役自在に取付可能としたものであってもよい。
【符号の説明】
【００５６】
１  高枝切り
２  竿
２ａ  一端部
５  可動刃
６  伝達部材
９  噴射装置
１０  支持部
１３  押圧レバー
２０  噴射ボタン
２０ａ  押圧面
２９  噴射孔
３１  カバー部
３２  嵌合部
３３  位置決め部
３６  角度調整部
５０  収納容器
Ｌ１  長手方向（伸縮方向）
Ｆ１  噴射方向
Ｆ２  幅方向
【要約】
【課題】噴射対象やその周囲への切断具の干渉を軽減し、且つ噴射方向の竿の長手方向に対する角度を軽減して、高所へ薬剤を散布可能な高枝切りを提供する。
【解決手段】本発明は、薬剤の噴射装置９及び切断具３を竿２の一端部に設け、噴射装置９は、薬剤の収納容器５０の竿２への支持用の支持部１０と、遠隔操作される押圧レバー１３と、収納容器５０に着脱自在で押圧レバー１３で作動される噴射ボタン２０とを備え、支持部１０は薬剤の噴射方向Ｆ１の角度が調整自在であり、噴射ボタン２０は、押圧レバー１３に押圧される押圧面２０ａを有すると共に、押圧面２０ａが噴射方向Ｆ１の先端側程薬剤噴射用の噴射孔２９に近づくように傾斜している。これによって、本発明は、噴射対象や周囲への切断具３の干渉を軽減し、且つ噴射方向Ｆ１の長手方向Ｌ１に対する角度を軽減して、高所へ薬剤を散布することができる。
【選択図】図１【図１】
0005457531.tif 000002
【図２】
0005457531.tif 000003
【図３】
0005457531.tif 000004
【図４】
0005457531.tif 000005
【図５】
0005457531.tif 000006
【図６】
0005457531.tif 000007